(57)【要約】【課題】狭額縁化が可能な表示装置を提供する。【解決手段】第１方向に並ぶ、第１共通電極及び第２共通電極と、前記第１共通電極に第１駆動信号または前記第１駆動信号とは異なる第２駆動信号を選択的に供給する第１スイッチユニットと、前記第２共通電極に前記第１駆動信号または前記第２駆動信号を選択的に供給する第２スイッチユニットと、を備え、前記第２共通電極及び前記第１スイッチユニットは、前記第１方向と交差する第２方向に並び、前記第１スイッチユニットは、前記第２方向に並んだ第１スイッチ回路及び第２スイッチ回路を備えている表示装置。【選択図】    図５
2018180182.tif 000002
【特許請求の範囲】
【請求項１】
第１方向に並ぶ、第１共通電極及び第２共通電極と、
前記第１共通電極に第１駆動信号または前記第１駆動信号とは異なる第２駆動信号を選択的に供給する第１スイッチユニットと、
前記第２共通電極に前記第１駆動信号または前記第２駆動信号を選択的に供給する第２スイッチユニットと、を備え、
前記第２共通電極及び前記第１スイッチユニットは、前記第１方向と交差する第２方向に並び、
前記第１スイッチユニットは、前記第２方向に並んだ第１スイッチ回路及び第２スイッチ回路を備えている表示装置。
【請求項２】
さらに、前記第１駆動信号が供給される第１駆動信号線と、前記第２駆動信号が供給される第２駆動信号線と、を備え、
前記第１スイッチ回路は、並列接続された第１乃至第３トランジスタを備えた第１スイッチと、並列接続された第４乃至第６トランジスタを備えた第２スイッチと、を備え、
前記第１乃至第３トランジスタの各々の入力端子は、前記第１駆動信号線に接続され、
前記第１乃至第３トランジスタの各々の出力端子は、前記第１共通電極に接続され、
前記第４乃至第６トランジスタの各々の入力端子は、前記第２駆動信号線に接続され、
前記第４乃至第６トランジスタの各々の出力端子は、前記第１共通電極に接続されている、請求項１に記載の表示装置。
【請求項３】
前記第２スイッチユニットは、前記第１方向に並んだ第３スイッチ回路及び第４スイッチ回路を備え、
前記第３スイッチ回路及び前記第４スイッチ回路、及び、前記第２共通電極は、前記第２方向に並んでいる、請求項１または２に記載の表示装置。
【請求項４】
さらに、表示領域に位置する信号線と、前記表示領域を囲む周辺領域において前記第２共通電極と前記第２スイッチユニットの間に位置し前記信号線と接続されたセレクタ回路と、前記第３スイッチ回路と前記第４スイッチ回路との間に位置し前記セレクタ回路に接続されたビデオ線と、を備えている、請求項３に記載の表示装置。
【請求項５】
さらに、表示領域を囲む周辺領域に位置する第１セレクタ回路及び第２セレクタ回路を備え、
前記第１セレクタ回路は、前記第２セレクタ回路よりも前記表示領域に近接し、
前記第１共通電極は、前記周辺領域に延在した延在部を有し、
前記延在部の縁部は、前記第１セレクタ回路及び前記第２セレクタ回路に沿って階段状に形成されている、請求項１乃至４の何れか１項に記載の表示装置。
【請求項６】
さらに、前記第１セレクタ回路及び前記第２セレクタ回路と重畳し、前記第１駆動信号が供給される第１導電層を備えた、請求項５に記載の表示装置。
【請求項７】
前記第１導電層は、平面視で、前記第１共通電極と重畳する重畳部と、前記第１共通電極から離間した非重畳部とを有している、請求項６に記載の表示装置。
【請求項８】
さらに、前記周辺領域において前記第１導電層とは異なる位置に配置された固定電位の第２導電層を備えた、請求項６に記載の表示装置。
【請求項９】
前記第１導電層及び前記第２導電層は同一層に位置し、前記第２導電層は前記第１導電層から離間し、前記第１導電層と前記第２導電層との間隙には前記第１導電層と電気的に接続された遮蔽電極が配置されている、請求項８に記載の表示装置。
【請求項１０】
前記延在部は、金属層と電気的に接続されている、請求項５に記載の表示装置。
【発明の詳細な説明】
【技術分野】
【０００１】
本発明の実施形態は、表示装置に関する。
【背景技術】
【０００２】
液晶表示装置や有機エレクトロルミネッセンス表示装置などの表示装置は、画素が配列される表示領域と、表示領域を囲う周辺領域とを有している、周辺領域には、画素を駆動するための周辺回路が配置される。
【０００３】
近年、表示装置を狭額縁化するための技術が種々検討されている。表示装置の狭額縁化を実現するためには、周辺回路のレイアウトを効率化して、周辺領域の面積を小さくする必要がある。
【先行技術文献】
【特許文献】
【０００４】
【特許文献１】国際公開第２０１４／０１０４６３号
【特許文献２】国際公開第２００９／０５７３４２号
【特許文献３】特開２０１６−１４８７７５号公報
【発明の概要】
【発明が解決しようとする課題】
【０００５】
本開示の一態様における目的は、狭額縁化が可能な表示装置を提供することである。
【課題を解決するための手段】
【０００６】
一実施形態に係る表示装置は、第１方向に並ぶ、第１共通電極及び第２共通電極と、前記第１共通電極に第１駆動信号または前記第１駆動信号とは異なる第２駆動信号を選択的に供給する第１スイッチユニットと、前記第２共通電極に前記第１駆動信号または前記第２駆動信号を選択的に供給する第２スイッチユニットと、を備え、前記第２共通電極及び前記第１スイッチユニットは、前記第１方向と交差する第２方向に並び、前記第１スイッチユニットは、前記第２方向に並んだ第１スイッチ回路及び第２スイッチ回路を備えている。
【図面の簡単な説明】
【０００７】
【図１】図１は、一実施形態に係る表示装置の構成例を示す平面図である。
【図２】図２は、タッチ検出機能に関わる表示装置の構成例を示す平面図である。
【図３】図３は、図２におけるIII−III線に沿う表示パネルを示す断面図である。
【図４】図４は、表示領域の角部の近傍における周辺回路の構成例を示す平面図である。
【図５】図５は、図２に示した共通電極ＣＥの構成例を示す平面図である。
【図６】図６は、スイッチユニット６１の構成例を示す図である。
【図７】図７は、スイッチユニット６２の構成例を示す図である。
【図８】図８は、スイッチ回路の構成例を示す図である。
【図９】図９は、角部Ｃ３１の近傍における共通電極及びその周辺構造を説明するための平面図である。
【図１０】図１０は、図９の中の領域Ｐ１を拡大した平面図である。
【図１１】図１１は、図９の中の領域Ｐ２を拡大した平面図である。
【図１２】図１２は、図１１におけるＡ−Ｂ線に沿う第１基板ＳＵＢ１を示す断面図である。
【図１３】図１３は、図９の中の領域Ｐ３を拡大した平面図である。
【図１４】図１４は、図８に示すスイッチ回路６１１のレイアウト図である。
【図１５】図１５は、スイッチユニットの変形例を示す図である。
【図１６】図１６は、図１５に示したスイッチユニット６１Ｂの回路図である。
【図１７】図１７は、図１５に示したスイッチユニット６１Ｂの概略レイアウト図である。
【図１８】図１８は、図１７に示すスイッチＳＷ１１の部分拡大図である。
【図１９】図１９は、図１８のＡ−Ａ線の断面図である。
【図２０】図２０は、図１８のＢ−Ｂ線の断面図である。
【発明を実施するための形態】
【０００８】
以下、一実施形態について、図面を参照しながら説明する。なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
本実施形態においては、表示装置の一例として、タッチ検出機能を備えた液晶表示装置を例示する。この液晶表示装置は、例えば、スマートフォン、タブレット端末、携帯電話端末、ノートブックタイプのパーソナルコンピュータ、車載機器、ゲーム機器等の種々の装置に用いることができる。本実施形態にて開示する主要な構成は、有機エレクトロルミネッセンス表示装置等の自発光型の表示装置、電気泳動素子等を有する電子ペーパ型の表示装置、ＭＥＭＳ（Micro Electro Mechanical System）を応用した表示装置、或いはエレクトロクロミズムを応用した表示装置等にも適用可能である。また、本実施形態にて開示する画像表示に関する構成は、タッチ検出機能を備えない表示装置にも適用可能である。
【００１０】
図１は、本実施形態に係る表示装置ＤＳＰの構成例を示す平面図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、および第３方向Ｚは、互いに直交しているが、互いに９０度以外の角度で交差しても良い。本明細書において、第３方向Ｚを示す矢印の先端に向かう方向を上方（あるいは、単に上）と称し、矢印の先端から逆に向かう方向を下方（あるいは、単に下）と称する。
【００１１】
表示装置ＤＳＰは、表示パネルＰＮＬと、配線基板Ｆと、コントローラＣＴとを備えている。表示パネルＰＮＬは、第１基板ＳＵＢ１と、第２基板ＳＵＢ２と、第１基板ＳＵＢ１および第２基板ＳＵＢ２の間に配置された液晶層ＬＣとを備えている（詳しくは図３参照）。さらに、表示パネルＰＮＬは、画像が表示される表示領域ＤＡと、表示領域ＤＡを囲む額縁状の周辺領域ＳＡとを備えている。  
表示パネルＰＮＬは、端部Ｅ１と、表示領域ＤＡに対して端部Ｅ１の反対側に位置する端部Ｅ２と、端部Ｅ３と、表示領域ＤＡに対して端部Ｅ３の反対側に位置する端部Ｅ４およびＥ５とを有している。図１の例においては、端部Ｅ１、Ｅ２、Ｅ５は第１方向Ｘに沿って延出し、端部Ｅ３およびＥ４は第２方向Ｙに沿って延出している。各端部Ｅ２，Ｅ３，Ｅ４においては、第１基板ＳＵＢ１および第２基板ＳＵＢ２のそれぞれの縁部が揃っている。端部Ｅ１は、第１基板ＳＵＢ１の縁部に相当する。端部Ｅ５は、第２基板ＳＵＢ２の縁部に相当する。端部Ｅ５は、端部Ｅ１よりも表示領域ＤＡの側に位置している。表示パネルＰＮＬは、端部Ｅ１およびＥ５の間において、第１基板ＳＵＢ１が第２基板ＳＵＢ２と対向しない非対向領域ＮＡ（あるいは端子領域）を有している。  
第１基板ＳＵＢ１は、端部Ｅ１およびＥ３の間の角部Ｃ１１と、端部Ｅ１およびＥ４の間の角部Ｃ１２と、端部Ｅ２およびＥ３の間の角部Ｃ１３と、端部Ｅ２およびＥ４の間の角部Ｃ１４とを有している。第２基板ＳＵＢ２は、角部Ｃ１１の近傍に位置し端部Ｅ５およびＥ３の間の角部Ｃ２１と、角部Ｃ１２の近傍に位置し端部Ｅ５およびＥ４の間の角部Ｃ２２と、角部Ｃ１３と重なる角部Ｃ２３と、角部Ｃ１４と重なる角部Ｃ２４とを有している。表示領域ＤＡは、角部Ｃ１１の近傍の角部Ｃ３１と、角部Ｃ１２の近傍の角部Ｃ３２と、角部Ｃ１３の近傍の角部Ｃ３３と、角部Ｃ１４の近傍の角部Ｃ３４とを有している。図中の一点鎖線は、表示領域ＤＡの縁部に相当し、この縁部は角部Ｃ３１〜Ｃ３４を含む。  
図１の例においては、第１基板ＳＵＢ１の各角部Ｃ１１〜Ｃ１４、第２基板ＳＵＢ２の各角部Ｃ２１〜Ｃ２４、表示領域ＤＡの各角部Ｃ３１〜Ｃ３４は、いずれも丸みをおびており、ラウンド部と呼ぶことがある。一例として、これらの各角部は円弧状であり、第１基板ＳＵＢ１の各角部Ｃ１１〜Ｃ１４と第２基板ＳＵＢ２の各角部Ｃ２３，Ｃ２４は第１曲率半径を有し、第２基板ＳＵＢ２の各角部Ｃ２１，Ｃ２２は第２曲率半径を有し、表示領域ＤＡの各角部Ｃ３１〜Ｃ３４は第３曲率半径を有している。第１乃至第３曲率半径は互いに異なり、例えば、第１曲率半径＞第３曲率半径＞第２曲率半径とすることができる。但し、各角部Ｃ１１〜Ｃ１４，Ｃ２１〜Ｃ２４，Ｃ３１〜Ｃ３４の関係はここで例示したものに限られない。また、各角部Ｃ１１〜Ｃ１４，Ｃ２１〜Ｃ２４，Ｃ３１〜Ｃ３４の少なくとも一つが円弧状でなく、直角あるいは多角形状であってもよい。
【００１２】
表示パネルＰＮＬは、表示領域ＤＡにおいて、複数の走査線Ｇと、複数の信号線Ｓとを備えている。各走査線Ｇは、それぞれ第１方向Ｘに沿って延出し、第２方向Ｙに間隔をおいて並んでいる。各信号線Ｓは、それぞれ第２方向Ｙに沿って延出し、第１方向Ｘに間隔をおいて並んでいる。  
表示領域ＤＡは、第１方向Ｘおよび第２方向Ｙに沿って配列された複数の画素ＰＸを有している。画素ＰＸは、図中に点線で囲んだ領域に相当する。画素ＰＸは、異なる色をそれぞれ表示する副画素ＳＰを含む。一例として、画素ＰＸは、赤色の副画素ＳＰＲと、緑色の副画素ＳＰＧと、青色の副画素ＳＰＢとを含む。画素ＰＸの構成はこれに限られず、例えば白色を表示する副画素などをさらに含んでも良いし、同一の色に対応する複数の副画素を含んでも良い。本開示においては、副画素を単に画素と呼ぶことがある。  
各副画素ＳＰは、スイッチング素子ＳＷと、画素電極ＰＥと、共通電極ＣＥとを備えている。共通電極ＣＥは、例えば複数の副画素ＳＰに亘って形成されている。スイッチング素子ＳＷは、走査線Ｇ、信号線Ｓ、及び画素電極ＰＥと電気的に接続されている。
【００１３】
表示パネルＰＮＬは、周辺領域ＳＡにおいて、各走査線Ｇが接続された走査線ドライバＧＤ１，ＧＤ２（第１ドライバ）と、各信号線Ｓが接続された信号線ドライバＳＤ（第２ドライバ）とを備えている。走査線ドライバＧＤ１は表示領域ＤＡと端部Ｅ３との間に配置され、走査線ドライバＧＤ２は表示領域ＤＡと端部Ｅ４との間に配置されている。信号線ドライバＳＤは、表示領域ＤＡと端部Ｅ５との間に配置されている。走査線ドライバＧＤ１，ＧＤ２の一方が省略されても良い。  
図１の例においては、角部Ｃ３１，Ｃ３３の近傍において、走査線ドライバＧＤ１が角部Ｃ３１，Ｃ３３と同様に円弧状に曲がった領域に設けられている。角部Ｃ３２，Ｃ３４の近傍において、走査線ドライバＧＤ２が角部Ｃ３２，Ｃ３４と同様に円弧状に曲がった領域に設けられている。角部Ｃ３１，Ｃ３２の近傍において、信号線ドライバＳＤが角部Ｃ３１，Ｃ３２と同様に円弧状に曲がった領域に設けられている。角部Ｃ３１の近傍における信号線ドライバＳＤの端部は、走査線ドライバＧＤ１と表示領域ＤＡの間に位置している。角部Ｃ３２の近傍における信号線ドライバＳＤの端部は、走査線ドライバＧＤ２と表示領域ＤＡの間に位置している。  
走査線ドライバＧＤ１，ＧＤ２は、各走査線Ｇに対して走査信号を供給する。信号線ドライバＳＤは、各信号線Ｓに対して映像信号を供給する。あるスイッチング素子ＳＷに対応する走査線Ｇに走査信号が供給され、かつこのスイッチング素子ＳＷに接続された信号線Ｓに映像信号が供給されると、この映像信号に応じた電圧が画素電極ＰＥに印加される。一方で、共通電極ＣＥには、直流のコモン信号（第１駆動信号）に応じた電圧が印加される。このとき、画素電極ＰＥと共通電極ＣＥとの間に生じる電界の大きさに応じて、液晶層ＬＣに含まれる液晶分子の配向状態が変化する。このような動作により、表示領域ＤＡに画像が表示される。
【００１４】
非対向領域ＮＡには端部Ｅ１に沿って接続端子Ｔが設けられている。配線基板Ｆは、接続端子Ｔに接続されている。図１の例においては、配線基板ＦにコントローラＣＴが実装されている。コントローラＣＴは、走査線ドライバＧＤ１，ＧＤ２および信号線ドライバＳＤを制御する表示ドライバＲ１と、タッチ検出用の検出ドライバＲ２とを備えている。表示ドライバＲ１および検出ドライバＲ２の実装態様はこれに限られず、例えば第１基板ＳＵＢ１に実装されても良い。また、表示ドライバＲ１および検出ドライバＲ２が異なる部材に実装されても良い。
【００１５】
図２は、タッチ検出機能に関わる構成例を示す表示装置ＤＳＰの平面図である。表示装置ＤＳＰは、複数の検出電極ＲＸを備えている。各検出電極ＲＸは、表示領域ＤＡにおいて第１方向Ｘに延出し、第２方向Ｙに並んでいる。さらに、図２の例においては、複数の共通電極ＣＥが表示領域ＤＡに配置されている。各共通電極ＣＥは、第２方向Ｙに延出し、第１方向Ｘに並んでいる。  
各共通電極ＣＥは、画像表示のための電極としての機能に加え、各検出電極ＲＸとともに表示領域ＤＡに近接する物体を検出するための駆動電極としての機能を有している。本実施形態では、第１基板ＳＵＢ１に各共通電極ＣＥが配置され、第２基板ＳＵＢ２に各検出電極ＲＸが配置される構成を想定する。但し、共通電極ＣＥとは別体の駆動電極を設ける構成も表示装置ＤＳＰに適用可能である。また、検出電極ＲＸおよび共通電極ＣＥ（あるいは駆動電極）の配置態様は種々変形可能である。例えば、複数の検出電極ＲＸが第１方向Ｘに並び、複数の共通電極ＣＥが第２方向Ｙに並んでいても良い。また、共通電極ＣＥ（あるいは駆動電極）は、第２基板ＳＵＢ２に設けられても良い。また、表示パネルＰＮＬの表示面に配置された透明な基材に、検出電極ＲＸおよび共通電極ＣＥと別体の駆動電極が設けられても良い。  
図２の例において、第１基板ＳＵＢ１は、周辺領域ＳＡにおいて、パッドＰと、パッドＰと接続端子Ｔとを電気的に接続するリード線Ｌ１と、を備えている。各検出電極ＲＸは、接続孔Ｈを介してパッドＰと電気的に接続されている。パッドＰは、リード線Ｌ１を介して接続端子Ｔと電気的に接続されている。例えば図示したように、端部Ｅ２から奇数番目の検出電極ＲＸは端部Ｅ３と表示領域ＤＡの間に配置されたパッドＰと接続され、端部Ｅ２から偶数番目の検出電極ＲＸは端部Ｅ４と表示領域ＤＡの間に配置されたパッドＰと接続されている。
【００１６】
図３は、図２におけるIII−III線に沿う表示パネルＰＮＬを示す断面図である。第１基板ＳＵＢ１は、ガラス基板或いは樹脂基板等の第１基材１０と、第１絶縁層１１と、第２絶縁層１２と、第１配向膜１３と、上述の共通電極ＣＥおよび画素電極ＰＥとを備えている。第１基板ＳＵＢ１は、上述の走査線Ｇ、信号線Ｓ、スイッチング素子ＳＷなども備えるが、図３においては図示を省略している。  
パッドＰおよびリード線Ｌ１は、第１基材１０の上に配置されている。パッドＰおよびリード線Ｌ１と第１基材１０の間に絶縁層が介在しても良い。第１絶縁層１１は、パッドＰおよびリード線Ｌ１を覆っている。詳述しないが、パッドＰおおよびリード線Ｌ１は、同一層に位置していても良いし、異なる層に位置していても良い。また、リード線Ｌ１の一部がパッドＰと同一層に位置していても良い。  
各共通電極ＣＥは、第１絶縁層１１の上に配置されている。第２絶縁層１２は、各共通電極ＣＥおよび第１絶縁層１１を覆っている。各画素電極ＰＥは、第２絶縁層１２の上に配置され、第２絶縁層１２を介して共通電極ＣＥと対向している。第１配向膜１３は、各画素電極ＰＥおよび第１絶縁層１２を覆っている。
【００１７】
第２基板ＳＵＢ２は、ガラス基板或いは樹脂基板等の第２基材２０と、カラーフィルタ層２１と、第２配向膜２２とを備えている。カラーフィルタ層２１は、第２基材２０の下に配置されている。カラーフィルタ層２１は、表示領域ＤＡの副画素間や周辺領域ＳＡに配置される遮光層、および、上述の副画素ＳＰＲ，ＳＰＧ，ＳＰＢに対応した色のカラーフィルタを含む。第２配向膜２２は、カラーフィルタ層２１を覆っている。なお、カラーフィルタ層２１は第１基板ＳＵＢ１に配置されても良い。  
第１基板ＳＵＢ１および第２基板ＳＵＢ２は、シール材ＳＬを介して貼り合わされている。液晶層ＬＣは、第１配向膜１３、第２配向膜２２、およびシール材ＳＬで囲われた空間に封入されている。
【００１８】
検出電極ＲＸは、第２基材２０の上に配置されている。上述の接続孔Ｈは、第２基材２０、カラーフィルタ層２１、第２配向膜２２、シール材ＳＬ、第１配向膜１３、第２絶縁層１２、第１絶縁層１１を貫通している。接続孔Ｈは、パッドＰをさらに貫通しても良い。接続孔Ｈは、例えば図示したようにパッドＰに向けて先細るテーパ状であるが、この例に限られない。接続孔Ｈの内部には、導電性の接続部材Ｃが配置されている。検出電極ＲＸとパッドＰとは、接続部材Ｃを介して電気的に接続されている。  
画素電極ＰＥおよび共通電極ＣＥは、例えばＩＴＯ（インジウム・ティン・オキサイド）などの透明導電材料で形成することができる。検出電極ＲＸ、パッドＰ、およびリード線Ｌ１は、ＩＴＯなどの透明導電材料や金属材料で形成することができる。検出電極ＲＸを金属材料で形成する場合には、例えば単層或いは多層構造の金属細線をメッシュ状や波形に配置した電極パターンを用いることができる。  
なお、図３に示した断面構造は一例に過ぎず、その他にも表示パネルＰＮＬには種々の構成を適用し得る。例えば、共通電極ＣＥは、画素電極ＰＥと液晶層ＬＣの間に配置されても良いし、画素電極ＰＥと同層に配置されても良いし、第２基板ＳＵＢ２に配置されても良い。また、接続孔Ｈの位置に第１配向膜１３、カラーフィルタ層２１、あるいは第２配向膜２２が配置されていなくても良い。
【００１９】
以上の構成においては、検出電極ＲＸと共通電極ＣＥとの間に第１容量が形成される。また、ユーザの指などの物体が表示領域ＤＡに近接すると、この物体と検出電極ＲＸとの間に第２容量が形成される。検出ドライバＲ２は、物体検出のための交流の駆動信号（第２駆動信号）を共通電極ＣＥに供給する。このとき、第１容量を介して検出電極ＲＸから検出ドライバＲ２に検出信号が出力される。この検出信号は、第２容量の有無や第２容量の大きさに応じて変化する。したがって、この検出信号に基づけば、検出ドライバＲ２は、表示領域ＤＡに近接する物体の有無や表示領域ＤＡにおける物体の位置を検出することができる。  
ここで述べた検出方式は、例えば相互容量方式と呼ばれる。但し、物体の検出方式は相互容量方式に限られず、自己容量方式であっても良い。自己容量方式においては、検出電極ＲＸに駆動信号が供給されるとともに、検出電極ＲＸから検出信号が読み出され、この検出信号に基づいて表示領域ＤＡに近接する物体の有無や表示領域ＤＡにおける物体の位置を検出することができる。また、自己容量方式においては、共通電極ＣＥに駆動信号が供給され、共通電極ＣＥから検出信号が読み出されても良い。
【００２０】
続いて、周辺領域ＳＡに配置される周辺回路（走査線ドライバＧＤ１，ＧＤ２、信号線ドライバＳＤ等）の構成について説明する。  
図４は、角部Ｃ１１，Ｃ２１，Ｃ３１の近傍における周辺回路の構成例を示す平面図である。走査線ドライバＧＤ１は、複数のシフトレジスタユニット３０と、各シフトレジスタユニット３０に対して１つずつ接続されるとともに少なくとも１つの走査線Ｇが接続された複数のバッファユニット４０とを備えている。各シフトレジスタユニット３０は、各走査線Ｇに走査信号を順次供給するためのタイミングを制御するシフトレジスタを構成する。バッファユニット４０は、少なくとも１つのバッファ回路４１を含む。バッファ回路４１は、シフトレジスタユニット３０の制御の下で、走査線Ｇに対して走査信号（走査電圧）を供給する。
【００２１】
第１基板ＳＵＢ１は、周辺領域ＳＡにおいて、複数のビデオ線Ｖを含むビデオ線群ＶＧを備えている。ビデオ線群ＶＧは、信号線ドライバＳＤに沿って配置されている。ビデオ線群ＶＧを構成する各ビデオ線Ｖは、上述の接続端子Ｔおよび配線基板Ｆを介して表示ドライバＲ１と電気的に接続されている。図４の例においては、ビデオ線群ＶＧと表示領域ＤＡの間に信号線ドライバＳＤが配置されている。さらに、走査線ドライバＧＤ１と表示領域ＤＡの間に信号線ドライバＳＤが位置する領域においては、走査線ドライバＧＤ１と信号線ドライバＳＤの間にビデオ線群ＶＧが延在している。
【００２２】
信号線ドライバＳＤは、複数のセレクタユニット５０を備えている。各セレクタユニット５０は、少なくとも１つのセレクタ回路５１（セレクタスイッチ）を含む。セレクタ回路５１には、Ｎ本のビデオ線Ｖと、Ｎより大きいＭ本（Ｍ＞Ｎ）の信号線Ｓとが接続されている。一例では、Ｎ＝２かつＭ＝６である。セレクタ回路５１は、ビデオ線Ｖと接続する信号線Ｓを時分割で切り替える。これにより、表示領域ＤＡに配置された信号線Ｓよりも少ない数のビデオ線Ｖにより、各信号線Ｓに映像信号を供給することができる。
【００２３】
上述の検出電極ＲＸと接続端子Ｔとを接続するリード線Ｌ１は、第１基板ＳＵＢ１の縁部に沿って配置されている。すなわち、リード線Ｌ１と表示領域ＤＡの間に走査線ドライバＧＤ１、信号線ドライバＳＤ、およびビデオ線群ＶＧが位置している。リード線Ｌ１は、角部Ｃ１１の近傍において、角部Ｃ１１と同様に円弧状に曲がっている。図４の例においては、リード線Ｌ１と第１基板ＳＵＢ１の縁部との間の距離が全体に亘って一定であるが、部分的に異なっても良い。例えば、角部Ｃ１１の近傍において、リード線Ｌ１と第１基板ＳＵＢ１の縁部との間の距離が、端部Ｅ１に向かうに連れて増大しても良い。
【００２４】
走査線ドライバＧＤ１および信号線ドライバＳＤは、表示領域ＤＡの角部Ｃ３１の近傍において、角部Ｃ３１に沿って曲がった領域に設けられている。したがって、角部Ｃ３１の近傍における信号線ドライバＳＤの一部は、端部Ｅ１に最も近い表示領域ＤＡの縁部ＥＤＡ１よりも、端部Ｅ２の側（図中の上側）に位置している。また、角部Ｃ３１の近傍における走査線ドライバＧＤ１の一部は、端部Ｅ３に最も近い表示領域ＤＡの縁部ＥＤＡ２よりも、端部Ｅ４の側（図中の右側）に位置している。
【００２５】
各セレクタユニット５０に含まれるセレクタ回路５１の数は、信号線ドライバＳＤの端部に近いセレクタユニット５０ほど少なくなる。これにより、各セレクタユニット５０の第１方向Ｘにおける幅は、信号線ドライバＳＤの端部に近いセレクタユニット５０ほど小さくなる。
【００２６】
図４の例において、ビデオ線群ＶＧは、第１方向Ｘに沿って延出した部分と第２方向Ｙに沿って延出した部分とが交互に繰り返す階段状であり、１つの段に対して１つずつセレクタユニット５０が配置されている。但し、１つの段に対して複数のセレクタユニット５０が配置されても良い。また、ビデオ線群ＶＧの少なくとも一部が、第１方向Ｘおよび第２方向Ｙと交差する方向に延びても良い。
【００２７】
ここで一例として、各シフトレジスタユニット３０および各バッファユニット４０のうち、シフトレジスタユニット３０Ａ，３０Ｂ，３０Ｃと、これらに接続されたバッファユニット４０Ａ，４０Ｂ，４０Ｃとに着目する。シフトレジスタユニット３０Ａおよびシフトレジスタユニット３０Ｂとは隣り合い、シフトレジスタユニット３０Ｂおよびシフトレジスタユニット３０Ｃは隣り合う。また、バッファユニット４０Ａおよびバッファユニット４０Ｂは隣り合い、バッファユニット４０Ｂおよびバッファユニット４０Ｃは隣り合う。
【００２８】
シフトレジスタユニット３０Ａとシフトレジスタユニット３０Ｂとの第１方向Ｘにおける間隔をｄｘ１１、シフトレジスタユニット３０Ｂとシフトレジスタユニット３０Ｃとの第１方向Ｘにおける間隔をｄｘ１２、シフトレジスタユニット３０Ａとシフトレジスタユニット３０Ｂとの第２方向Ｙにおける間隔をｄｙ１１、シフトレジスタユニット３０Ｂとシフトレジスタユニット３０Ｃとの第２方向Ｙにおける間隔をｄｙ１２と定義する。この場合において、図４の例では、間隔ｄｘ１１と間隔ｄｘ１２とが互いに異なる。具体的には、ｄｘ１１＜ｄｘ１２であり、各シフトレジスタユニット３０Ａ，３０Ｂが第１方向Ｘにおいてずれていないために、間隔ｄｘ１１は零である。さらに、図４の例では、間隔ｄｙ１１と間隔ｄｙ１２とが互いに異なる。具体的には、ｄｙ１１＜ｄｙ１２である。他の例として、各シフトレジスタユニット３０Ａ，３０Ｂ，３０Ｃは、ｄｘ１１＞ｄｘ１２となるように配置されても良いし、ｄｙ１１≧ｄｙ１２となるように配置されても良い。
【００２９】
間隔ｄｘ１１，ｄｘ１２と同様に、図４の例では、バッファユニット４０Ａおよびバッファユニット４０Ｂの第１方向Ｘにおける間隔と、バッファユニット４０Ｂおよびバッファユニット４０Ｃの第１方向Ｘにおける間隔とが互いに異なる。また、間隔ｄｙ１１，ｄｙ１２と同様に、バッファユニット４０Ａおよびバッファユニット４０Ｂの第２方向Ｙにおける間隔と、バッファユニット４０Ｂおよびバッファユニット４０Ｃの第２方向Ｙにおける間隔とが互いに異なる。バッファユニット４０Ａ，４０Ｂ，４０Ｃの各々は、角部Ｃ３１までの第１方向Ｘに沿った間隔がほぼ同一となるように、階段状に配置されている。
【００３０】
さらに、一例として、各セレクタユニット５０のうち、セレクタユニット５０Ａ，５０Ｂ，５０Ｃに着目する。セレクタユニット５０Ａおよびセレクタユニット５０Ｂは隣り合い、セレクタユニット５０Ｂおよびセレクタユニット５０Ｃは隣り合う。各セレクタユニット５０Ａ，５０Ｂ，５０Ｃは、第１方向Ｘおよび第２方向Ｙにおいて互いにずれている。セレクタユニット５０Ａはセレクタユニット５０Ｂよりも信号線ドライバＳＤの端部側に位置し、セレクタユニット５０Ｂはセレクタユニット５０Ｃよりも信号線ドライバＳＤの端部側に位置している。セレクタユニット５０Ａの第１方向Ｘにおける幅はセレクタユニット５０Ｃの幅よりも小さい。
【００３１】
セレクタユニット５０Ａとセレクタユニット５０Ｂとの第１方向Ｘにおける間隔をｄｘ２１、セレクタユニット５０Ｂとセレクタユニット５０Ｃとの第１方向Ｘにおける間隔をｄｘ２２、セレクタユニット５０Ａとセレクタユニット５０Ｂとの第２方向Ｙにおける間隔をｄｙ２１、セレクタユニット５０Ｂとセレクタユニット５０Ｃとの第２方向Ｙにおける間隔をｄｙ２２と定義する。この場合において、図４の例では、間隔ｄｘ２１と間隔ｄｘ２２とが互いに異なる。具体的には、ｄｘ２１＜ｄｘ２２である。また、図４の例では、間隔ｄｙ２１と間隔ｄｙ２２とが略一致する。他の例として、各セレクタユニット５０Ａ，５０Ｂ，５０Ｃは、ｄｘ２１≧ｄｘ２２となるように配置されても良いし、間隔ｄｙ２１と間隔ｄｙ２２とが互いに異なるように配置されても良い。セレクタユニット５０Ａ，５０Ｂ，５０Ｃの各々は、角部Ｃ３１までの第２方向Ｙに沿った間隔がほぼ同一となるように、階段状に配置されている。
【００３２】
このように、各シフトレジスタユニット３０および各バッファユニット４０の各方向Ｘ，Ｙにおける間隔を角部Ｃ３１の近傍で調整することにより、角部Ｃ３１に沿って円弧状に曲がったレイアウトの走査線ドライバＧＤ１を実現することができる。同様に、各セレクタユニット５０の各方向Ｘ，Ｙにおける間隔を角部Ｃ３１の近傍で調整することにより、角部Ｃ３１に沿って円弧状に曲がったレイアウトの信号線ドライバＳＤを実現することができる。
【００３３】
なお、以上の説明において、隣り合う２つのユニットの第１方向Ｘにおける間隔（ｄｘ１１，ｄｘ１２，ｄｘ２１，ｄｘ２２等）は、これらユニットそれぞれの第１方向Ｘにおける中心間の距離に相当する。また、隣り合う２つのユニットの第２方向Ｙにおける間隔（ｄｙ１１，ｄｙ１２，ｄｙ２１，ｄｙ２２等）は、これらユニットそれぞれの第２方向Ｙにおける中心間の距離に相当する。
【００３４】
図１に示した表示領域ＤＡの角部Ｃ３３の近傍における走査線ドライバＧＤ１の構成は、角部Ｃ３１の近傍における走査線ドライバＧＤ１の構成と同様である。また、表示領域ＤＡの角部Ｃ３２の近傍における走査線ドライバＧＤ２、信号線ドライバＳＤ、ビデオ線群ＶＧ、およびリード線Ｌ１の構成は、角部Ｃ３１の近傍におけるこれらの構成と同様である。さらに、表示領域ＤＡの角部Ｃ３４の近傍における走査線ドライバＧＤ２の構成は、角部Ｃ３３の近傍における走査線ドライバＧＤ１の構成と同様である。角部Ｃ３１〜Ｃ３４の近傍における周辺領域ＳＡの構成は、ここで例示したものに限られず、配置される回路や配線のレイアウトを考慮して適宜に変更することができる。
【００３５】
次に、図２に示した共通電極ＣＥの具体的な構成例について、図５の平面図を参照しながら説明する。ここでは、ラウンド部である角部Ｃ３１の近傍における各部材について説明する。共通電極ＣＥ０、ＣＥ１、ＣＥ２、ＣＥ３、…は、この順に第１方向Ｘに沿って並び、それぞれ第２方向Ｙに延在している。図示した例では、共通電極ＣＥ０、ＣＥ３は、共通電極ＣＥ１、ＣＥ２よりも幅広であり、一例では、共通電極ＣＥ０の第１方向Ｘに沿った幅Ｗ０は共通電極ＣＥ１の幅Ｗ１の約２倍である。ここでは、詳述しないが、上記の幅の共通電極を適用することにより、相互容量方式および自己容量方式が切り替え可能なセンサ機能において、双方の方式でのセンサ中心を一致させることができ、また、自己容量方式における各共通電極での容量のアンバランスを改善することができる。
【００３６】
スイッチユニット６０は共通電極ＣＥ０に接続され、スイッチユニット６１は共通電極ＣＥ１に接続され、スイッチユニット６２は共通電極ＣＥ２に接続され、スイッチユニット６３は共通電極ＣＥ３に接続されている。スイッチユニット６０乃至６３の各々は、図中に点線で囲まれている。スイッチユニット６０乃至６３は、それぞれ接続された共通電極に対して、第１駆動信号または第２駆動信号を選択的に供給する。第２駆動信号は、第１駆動信号とは異なる信号である。一例では、第１駆動信号は、表示領域ＤＡに画像を表示する際に必要な直流のコモン信号である。また、第２駆動信号は、物体検出の際に必要な交流の駆動信号である。
【００３７】
共通電極ＣＥ０、ＣＥ１、ＣＥ２は、それぞれ角部Ｃ３１に沿った階段状の縁部を備えている。走査線ドライバＧＤ１は、上記の通り、角部Ｃ３１に沿って曲がった領域に設けられ、表示領域ＤＡのうち、縁部ＥＤＡ１の近傍に位置する走査線Ｇに走査信号を供給する。いずれのスイッチユニットも走査線ドライバＧＤ１とは異なる領域に配置される。このため、共通電極ＣＥ０及びスイッチユニット６０は、第２方向Ｙに並んで配置することができず、走査線ドライバＧＤ１と共通電極０とが第２方向Ｙに並んでいる。共通電極ＣＥ１及びスイッチユニット６０は第２方向Ｙに並び、同様に、共通電極ＣＥ２及びスイッチユニット６１は第２方向Ｙに並んでいる。また、スイッチユニット６２の一部と共通電極ＣＥ２とは第２方向Ｙに並び、スイッチユニット６２の他の一部と共通電極ＣＥ３とは第２方向Ｙに並んでいる。スイッチユニット６３のほとんどと共通電極ＣＥ３とは第２方向Ｙに並んでいる。
【００３８】
ここで、スイッチユニット６１及び６２に着目する。スイッチユニット６１は、第２方向Ｙに並んだスイッチ回路６１１、６１２、…を備えている。スイッチユニット６２は、第１方向Ｘに並んだスイッチ回路６２１、６２２…を備えている。スイッチユニット６２において、スイッチ回路６２１乃至６２３と共通電極ＣＥ２とは、第２方向Ｙに並んでいる。スイッチ回路６２４及び６２５と共通電極ＣＥ３とは、第２方向Ｙに並んでいる。各スイッチ回路の構成及びその機能は、実質的に同一であり、後述する。なお、スイッチ回路の各々は、図中に右上がりの斜線で示している。シール材ＳＬと角部Ｃ３１との間の第２方向Ｙに沿った間隔について、スイッチユニット６１が配置される領域を含む間隔Ｗ６１は、スイッチユニット６２が配置される領域を含む間隔Ｗ６２よりも大きい。このため、スイッチユニット６１については、第２方向Ｙに並んだスイッチ回路を配置するのに好適である。
【００３９】
一例では、共通電極ＣＥ１は第１共通電極に相当し、共通電極ＣＥ２は第２共通電極に相当し、スイッチユニット６１は第１スイッチユニットに相当し、スイッチユニット６２は第２スイッチユニットに相当し、スイッチ回路６１１は第１スイッチ回路に相当し、スイッチ回路６１２は第２スイッチ回路に相当し、スイッチ回路６２１は第３スイッチ回路に相当し、スイッチ回路６２２は第４スイッチ回路に相当する。
【００４０】
図中に右下がりの斜線で示した部分は、上記のセレクタ回路５１に相当する。セレクタ回路５１の各々には、ビデオ線Ｖが接続されている。セレクタ回路５１及びビデオ線Ｖは、いずれの共通電極とも重ならない。つまり、共通電極ＣＥ０乃至ＣＥ３は、いずれも表示領域ＤＡのみならず、周辺領域ＳＡに延在しているが、周辺領域ＳＡに配置されたセレクタ回路５１と重なる位置よりもシール材ＳＬに近接する側には延在していない。このため、共通電極ＣＥ０乃至ＣＥ３は、セレクタ回路５１よりシール材ＳＬ側に位置するビデオ線Ｖとも重ならず、ビデオ線Ｖとの間の不所望な容量形成を抑制している。  
図示した例では、スイッチユニット６０及び６１は、いずれのビデオ線Ｖとも交差しない。スイッチユニット６２は、ビデオ線Ｖと交差する。例えば、共通電極ＣＥ２に隣接するセレクタ回路に着目すると、セレクタ回路５１Ａは、スイッチユニット６１と共通電極ＣＥ２との間に位置している。セレクタ回路５１Ａに接続されるビデオ線ＶＡは、スイッチユニット６１とスイッチユニット６２との間に位置している。セレクタ回路５１Ｂは、スイッチユニット６２と共通電極ＣＥ２との間に位置している。セレクタ回路５１Ｂに接続されるビデオ線ＶＢは、スイッチユニット６２のスイッチ回路６２１とスイッチ回路６２２との間に位置している。
【００４１】
図６は、スイッチユニット６１の構成例を示す図である。一例では、スイッチユニット６１は、スイッチ回路６１１乃至６１４を備えている。スイッチ回路６１１乃至６１４は、第２方向Ｙに並んでいる。これらのスイッチ回路６１１乃至６１４は実質的に同一構成であるため、ここでは、スイッチ回路６１１に着目してより詳細に説明する。  
スイッチ回路６１１は、スイッチＳＷ１及びＳＷ２を備えている。スイッチＳＷ１及びＳＷ２は、第２方向Ｙに並んでいる。本願明細書では、第１駆動信号を共通電極に供給するスイッチを第１スイッチと呼び、第２駆動信号を共通電極に供給するスイッチを第２スイッチと呼ぶ。図６では、スイッチＳＷ１は第１スイッチに相当し、スイッチＳＷ２は第２スイッチに相当する。スイッチＳＷ１の一端は、スイッチＳＷ２の一端と接続され、且つ、共通電極ＣＥ１と接続されている。スイッチＳＷ１の他端は、第１駆動信号が供給される第１駆動信号線ＶＣＯＭＤＣと接続されている。スイッチＳＷ２の他端は、第２駆動信号が供給される第２駆動信号線ＴＳＶＣＯＭと接続されている。これらのスイッチＳＷ１及びＳＷ２は、図示しない選択信号線から供給される選択信号によって制御される。例えば、第１選択信号に基づいて、スイッチＳＷ１が導通状態となり、スイッチＳＷ２が非導通状態となる場合、共通電極ＣＥ１には第１駆動信号が供給される。第２選択信号に基づいて、スイッチＳＷ２が導通状態となり、スイッチＳＷ１が非導通状態となる場合、共通電極ＣＥ１には第２駆動信号が供給される。本願明細書では、第１スイッチと第２スイッチの対で構成され、共通電極に第１駆動信号と第２駆動信号とを供給する回路をスイッチ回路と呼ぶ。  
なお、複数のスイッチ回路から構成されるユニットをスイッチユニットと呼び、スイッチユニット６１が備えるスイッチ回路の個数は、図示した例の４個に限らない。また、スイッチユニット６１におけるスイッチ回路のレイアウトは、図示した例に限らない。  
共通電極ＣＥ１と重なる信号線Ｓは、セレクタ回路５１に接続されている。セレクタ回路５１の各々に接続されるビデオ線Ｖは、スイッチユニット６１のスイッチ回路間に位置することなく、スイッチユニット６１の周囲に設けられている。
【００４２】
図７は、スイッチユニット６２の構成例を示す図である。一例では、スイッチユニット６２は、スイッチ回路６２１乃至６２４を備えている。スイッチ回路６２１乃至６２４は、第１方向Ｘに並んでいる。これらのスイッチ回路６２１乃至６２４は実質的に同一構成であるため、ここでは、スイッチ回路６２１に着目してより詳細に説明する。  
スイッチ回路６２１は、スイッチＳＷ３及びＳＷ４を備えている。スイッチＳＷ３及びＳＷ４は、第２方向Ｙに並んでいる。一例では、スイッチＳＷ３は第１スイッチに相当し、スイッチＳＷ４は第２スイッチに相当する。スイッチＳＷ３の一端は、スイッチＳＷ４の一端と接続され、且つ、共通電極ＣＥ２と接続されている。スイッチＳＷ３の他端は、第１駆動信号線ＶＣＯＭＤＣと接続されている。スイッチＳＷ４の他端は、第２駆動信号線ＴＳＶＣＯＭと接続されている。これらのスイッチＳＷ３及びＳＷ４は、図示しない選択信号線から供給される選択信号によって制御される。スイッチ回路６２１の動作については、図６を参照して説明したスイッチ回路６１１の動作と同様である。  
共通電極ＣＥ２と重なる信号線Ｓは、セレクタ回路５１Ｂに接続されている。セレクタ回路５１Ｂの各々に接続されるビデオ線ＶＢは、スイッチユニット６２の隣り合うスイッチ回路間に設けられている。
【００４３】
図８は、スイッチ回路の構成例を示す図である。ここでは、スイッチ回路６１１を例に説明するが、他のスイッチ回路についても同様の構成が適用可能である。スイッチＳＷ１は、並列接続された第１乃至第３トランジスタＴＲ１乃至ＴＲ３を備えている。スイッチＳＷ２は、並列接続された第４乃至第６トランジスタＴＲ４乃至ＴＲ６を備えている。第１乃至第６トランジスタＴＲ１乃至ＴＲ６は、第２方向Ｙに並んでいる。  
第１乃至第３トランジスタＴＲ１乃至ＴＲ３の各々の入力端子は、第１駆動信号線ＶＣＯＭＤＣに接続されている。第１乃至第３トランジスタＴＲ１乃至ＴＲ３の各々の出力端子は、共通電極ＣＥ１に接続されている。第４乃至第６トランジスタＴＲ４乃至ＴＲ６の各々の入力端子は、第２駆動信号線ＴＳＶＣＯＭに接続されている。第４乃至第６トランジスタＴＲ４乃至ＴＲ６の各々の出力端子は、共通電極ＣＥ１に接続されている。
【００４４】
このように、角部Ｃ３１がラウンド部である表示装置において、角部Ｃ３１の近傍における各部材は、レイアウト上の制約を受けるものの、周辺領域ＳＡのスペースを有効に活用することで表示装置ＤＳＰの狭額縁化が実現できる。例えば、角部Ｃ３１の近傍においては、共通電極ＣＥに対して第１駆動信号及び第２駆動信号を選択的に供給するためのスイッチユニットは、当該共通電極ＣＥの近傍に配置できず、隣接する共通電極ＣＥと並ぶように配置せざるを得ないというレイアウト上の制約を受ける場合がある。図５を参照して説明したように、例えば、共通電極ＣＥ１に接続されるスイッチユニット６１、及び、共通電極ＣＥ２は、第２方向Ｙに並んでいる。スイッチユニット６１は、複数のスイッチ回路６１１、６１２…を備えているが、これらのスイッチ回路６１１、６１２…は第２方向Ｙに並んでいる。このため、スイッチユニット６１の第１方向Ｘに沿った幅は、スイッチ回路６１１、６１２…が第１方向Ｘに並んだ場合よりも小さい。このようなスイッチユニット６１は、角部Ｃ３１によって形成される第２方向Ｙに幅広なスペースに配置される。したがって、周辺領域ＳＡのスペースを有効活用することができ、狭額縁化が実現できる。
【００４５】
図９は、角部Ｃ３１の近傍における共通電極及びその周辺構造を説明するための平面図である。  
共通電極ＣＥ０、ＣＥ１、ＣＥ２は、それぞれ周辺領域ＳＡに延在した延在部ＥＡ０、ＥＡ１、ＥＡ２を有している。上記の通り、共通電極ＣＥ０、ＣＥ１、ＣＥ２はセレクタ回路５１とは重畳せず、延在部ＥＡ０、ＥＡ１、ＥＡ２の縁部は、第１方向Ｘに沿って延出した部分と第２方向Ｙに沿って延出した部分とが交互に繰り返す階段状に形成されている。  
ここで、延在部ＥＡ１とセレクタ回路５１Ｃ及び５１Ｄとの関係について着目する。一例では、セレクタ回路５１Ｃは第１セレクタ回路に相当し、セレクタ回路５１Ｄは第２セレクタ回路に相当する。セレクタ回路５１Ｃは、セレクタ回路５１Ｄよりも表示領域ＤＡに近接している。延在部ＥＡ１は、表示領域ＤＡと、セレクタ回路５１Ｃ及び５１Ｄとの間に位置している。延在部ＥＡ１の縁部ＥＥＡは、セレクタ回路５１Ｃ及び５１Ｄに沿って階段状に形成されている。
【００４６】
第１導電層ＣＬ１１乃至ＣＬ１３は、共通電極ＣＥ０、ＣＥ１、ＣＥ２と、シール材ＳＬとの間に位置している。これらの第１導電層ＣＬ１１乃至ＣＬ１３には、固定電位が供給されており、一例では、第１駆動信号が供給される。つまり、第１導電層ＣＬ１１乃至ＣＬ１３は、図６などを参照して説明した第１駆動信号線ＶＣＯＭＤＣと電気的に接続されている。なお、第１導電層ＣＬ１１乃至ＣＬ１３には、他の固定電位、例えば、低電位電圧ＶＧＬや高電位電圧ＶＧＨなどが供給されても良い。  
第１導電層ＣＬ１１乃至ＣＬ１３は、例えば、図３を参照して説明した画素電極ＰＥと同一層に位置し、画素電極ＰＥと同一材料によって形成可能である。第１導電層ＣＬ１１乃至ＣＬ１３は、共通電極ＣＥとは異なる層に位置している。図示した例では、第１導電層ＣＬ１１乃至ＣＬ１３は、平面視で、共通電極ＣＥから離間しているが、共通電極ＣＥと重畳しても良い。但し、第１導電層ＣＬ１１乃至ＣＬ１３は、共通電極ＣＥとは異なる電位が供給される場合があるため、第１導電層と共通電極とが重畳する場合には、不所望な容量形成を抑制する観点から、重畳する面積をできるだけ小さくすることが望ましい。  
第１導電層ＣＬ１１乃至ＣＬ１３は、セレクタ回路５１と重畳している。例えば、第１導電層ＣＬ１２に着目すると、セレクタ回路５１Ｃ及びセレクタ回路５１Ｄと重畳している。このような第１導電層ＣＬは、下層に位置するセレクタ回路やその他の配線からの電界漏れを抑制する。
【００４７】
図１０は、図９の中の領域Ｐ１を拡大した平面図である。ここでは、第１導電層ＣＬ１２及びＣＬ１３と、共通電極ＣＥ１の延在部ＥＡ１との位置関係に着目している。延在部ＥＡ１は、第１導電層ＣＬ１２及びＣＬ１３の間に位置している。延在部ＥＡ１、第１導電層ＣＬ１２及びＣＬ１３は、第１方向Ｘに沿って延出した各種配線と交差している。第１導電層ＣＬ１２及びＣＬ１３は、配線群ＷＧ１と交差する領域においては平面視で延在部ＥＡ１と重畳する重畳部ＯＬを備え、また、配線群ＷＧ２と交差する領域においては平面視で延在部ＥＡ１から離間した非重畳部ＮＯＬを備えている。配線群ＷＧ２は、低電位電圧ＶＧＬが供給される配線、映像信号が供給されるビデオ線Ｖや信号線Ｓ、走査信号が供給される走査線Ｇなどの各種配線を含む。このような配線を含む配線群ＷＧ２と交差する領域では、第１導電層ＣＬ１２及びＣＬ１３と共通電極ＣＥ１とが重畳しないため、不所望な容量形成を抑制することができる。また、配線群ＷＧ１と交差する領域では、第１導電層ＣＬ１２及びＣＬ１３と共通電極ＣＥ１とが重畳するため、配線群ＷＧ１からの電界漏れを抑制することができる。
【００４８】
再び、図９に戻って説明する。第２導電層ＣＬ２及び第３導電層ＣＬ３は、周辺領域ＳＡにおいて、第１導電層ＣＬ１１乃至ＣＬ１３などとは異なる位置に配置されている。図示した例では、第２導電層ＣＬ２は、第１導電層ＣＬ１１とシール材ＳＬとの間に位置している。第３導電層ＣＬ３は、第２導電層ＣＬ２とシール材ＳＬとの間に位置し、その一部はシール材ＳＬに重畳している。第２導電層ＣＬ２及び第３導電層ＣＬ３の電位は、第１導電層ＣＬ１１の電位とは異なる。第２導電層ＣＬ２及び第３導電層ＣＬ３には、固定電位が供給されており、一例では、低電位電圧ＶＧＬが供給される。これにより、周辺領域ＳＡにおいて、第２導電層ＣＬ２及び第３導電層ＣＬ３よりも下層に位置する各種配線からの電界漏れを抑制することができる。  
第２導電層ＣＬ２及び第３導電層ＣＬ３は、例えば、図３を参照して説明した画素電極ＰＥと同一層に位置し、画素電極ＰＥと同一材料によって形成可能である。つまり、第１導電層ＣＬ１１、第２導電層ＣＬ２、及び、第３導電層ＣＬ３は、いずれも同一層に位置し、共通電極ＣＥとは異なる層に位置している。第２導電層ＣＬ２は、第１導電層ＣＬ１１から離間している。例えば、第２導電層ＣＬ２及び第３導電層ＣＬ３に低電位電圧ＶＧＬが供給される場合、第２導電層ＣＬ２及び第３導電層ＣＬ３の電位が第１導電層ＣＬ１１の電位よりも低いため、液晶層ＬＣに含まれる陽イオンの不純物を周辺領域ＳＡに収集することができる。
【００４９】
図１１は、図９の中の領域Ｐ２を拡大した平面図である。ここでは、第１導電層ＣＬ１１と第２導電層ＣＬ２との位置関係に着目している。上記の通り、第１導電層ＣＬ１１と第２導電層ＣＬ２とは、互いに異なる電位となり得るため、互いに離間している。第１導電層ＣＬ１１と第２導電層ＣＬ２との間隙ＧＰには、遮蔽電極ＳＥが配置されている。遮蔽電極ＳＥは、その一部が第１導電層ＣＬ１１と重畳しており、コンタクトホールＣＨを介して第１導電層ＣＬ１１と電気的に接続されている。
【００５０】
図１２は、図１１におけるＡ−Ｂ線に沿う第１基板ＳＵＢ１を示す断面図である。遮蔽電極ＳＥは、第１絶縁層１１と第２絶縁層１２との間に位置しており、図３を参照して説明した画素電極ＰＥと同一層に位置している。このため、遮蔽電極ＳＥは、画素電極ＰＥと同一材料によって形成可能である。第１導電層ＣＬ１１は、第２絶縁層１２を貫通するコンタクトホールＣＨを介して遮蔽電極ＳＥに接続されている。これにより、第１導電層ＣＬ１１と第２導電層ＣＬ２との間隙ＧＰにおいても、各種配線からの電界漏れを抑制することができる。
【００５１】
図１３は、図９の中の領域Ｐ３を拡大した平面図である。ここでは、延在部ＥＡ１の一部を拡大している。延在部ＥＡ１は、金属層ＭＬと電気的に接続されている。金属層ＭＬは、例えば、第１方向Ｘに沿って延出する部分ＭＬＸ及び第２方向Ｙに沿って延出する部分ＭＬＹを有する格子状に形成されている。一例では、金属層ＭＬは、延在部ＥＡ１と直接接触している。なお、金属層ＭＬと延在部ＥＡ１との間に絶縁層が介在し、この絶縁層を貫通するコンタクトホールを介して、金属層ＭＬと延在部ＥＡ１とが接触していても良い。このような金属層ＭＬは、図９に示したスイッチユニット６１に接続され、延在部ＥＡ１を含む共通電極ＣＥ１に対して、第１駆動信号及び第２駆動信号を選択的に供給する。このため、図９に示したように、共通電極ＣＥ１及びスイッチユニット６１が離れて配置されている場合であっても、共通電極ＣＥ１に対して所望の信号を供給することができる。  
また、図９を参照して明らかなように、共通電極ＣＥ０及びスイッチユニット６０は、共通電極ＣＥ１及びスイッチユニット６１よりも、さらに離れて配置されている。共通電極ＣＥ０の延在部ＥＡ０においても、図１３に示した延在部ＥＡ１と同様に、金属層ＭＬと電気的に接続されており、スイッチユニット６０から共通電極ＣＥ０に対して所望の信号を供給することができる。
【００５２】
次に、図８に示すスイッチ回路６１１のレイアウト図を図１４に示す。スイッチ回路６１１は、スイッチＳＷ１及びＳＷ２を備えている。スイッチＳＷ１及びＳＷ２は、図８同様に、第２方向Ｙに並んでいる。スイッチＳＷ１は、第１トランジスタＴＲ１、第２トランジスタＴＲ２、第３トランジスタＴＲ３を有している。スイッチＳＷ２は、第４トランジスタＴＲ４、第５トランジスタＴＲ５、第６トランジスタＴＲ６を有している。
スイッチＳＷ１は略長方形の半導体層７１０を有し、半導体層７１０の長辺は第１方向Ｘに沿っている。また、半導体層７１０は、第２方向Ｙに第１トランジスタＴＲ１から第３トランジスタＴＲ３まで連続して形成されている。同じく、スイッチＳＷ２も略長方形の半導体層７１０を有している。第１トランジスタＴＲ１から第６トランジスタＴＲ６の各々は、ゲート電極７２０、ドレイン電極７３０、ソース電極７４０を有している。ゲート電極７２０、ドレイン電極７３０、ソース電極７４０は、共に、第１方向Ｘに伸び、第２方向Ｙに並んでいる。
第１トランジスタＴＲ１のドレイン電極７３０は、第１駆動信号線ＶＣＯＭＤＣと接続しており、コンタクトホール７６０を介して、半導体層７１０のドレイン領域と電気的に接続している。第１トランジスタＴＲ１のドレイン電極７３０と並列にゲート電極７２０が形成されている。ゲート電極７２０は、第１選択信号線７２２に接続している。第１トランジスタＴＲ１と第２トランジスタＴＲ２とは、共通のソース電極７４０を有している。ソース電極７４０は、コンタクトホール７６０を介して半導体層７１０のソース領域と電気的に接続すると共に、コンタクトホール７７０を介して出力信号線７４２と電気的に接続している。出力信号線７４２は、図８に示すように共通電極ＣＥ１に接続している。
スイッチＳＷ１の第２トランジスタＴＲ２と第３トランジスタＴＲ３とは、共通のドレイン電極７３０を有している。第３トランジスタＴＲ３のソース電極７４０は、コンタクトホール７７０を介して出力信号線７４２と電気的に接続している。なお、ソース電極７４０の外形と出力信号線７４２の外形とは重なっており、図１４では図を簡素化するために同一の外形で図示している。
第３トランジスタＴＲ３のソース電極７４０は、コンタクトホール７７０で出力信号線７４２と電気的に接続されるが、スイッチＳＷ１とスイッチＳＷ２との間にもコンタクトホール７７０が形成されており、ソース電極７４０と出力信号線７４２とを電気的に接続している。また、スイッチＳＷ２は、コンタクトホール７７０を挟んで、スイッチＳＷ１と線対称に形成されている。
スイッチＳＷ２の第４トランジスタＴＲ４と第５トランジスタＴＲ５とは、共通のドレイン電極７３０を有している。第４トランジスタＴＲ４と第５トランジスタＴＲ５のドレイン電極７３０は、第２駆動信号線ＴＳＶＣＯＭと接続しており、第２駆動信号が供給される。第５トランジスタＴＲ５と第６トランジスタＴＲ６は、共通のソース電極７４０を有している。第５トランジスタＴＲ５と第６トランジスタＴＲ６のソース電極７４０は、コンタクトホール７７０を介して出力信号線７４２に接続している。第６トランジスタＴＲ６のドレイン電極７３０は、第２駆動信号線ＴＳＶＣＯＭと接続しており、第２駆動信号が供給される。
スイッチＳＷ１とスイッチＳＷ２とでは、トランジスタが３つ第２方向Ｙに並べて形成されているが、隣合うトランジスタのソース電極７４０またはドレイン電極７３０が共通に形成されており、形成領域の第２方向Ｙへの縮小が図られている。さらには、スイッチＳＷ１とスイッチＳＷ２との間にコンタクトホール７７０が形成され、トランジスタＴＲ３とＴＲ４のソース電極７４０にコンタクトホール７７０を形成せず、ソース電極７４０の第２方向Ｙへの縮小が図られている。コンタクトホール７７０はコンタクトホール７６０よりも外形が大きいため、ソース電極７４０に重ねてコンタクトホール７７０を形成すると、ソース電極７４０の第２方向Ｙの幅が広くなるが、スイッチＳＷ１とスイッチＳＷ２との間にコンタクトホール７７０を設けることで、第３トランジスタＴＲ３と第４トランジスタＴＲ４のソース電極７４０の第２方向の幅をコンタクトホール７７０が重なる場合に比較して狭くすることが可能となっている。
さらに、スイッチＳＷ１とスイッチＳＷ２とを線対称に形成することで、第３トランジスタＴＲ３と第４トランジスタＴＲ４のソース電極７４０を近接して形成することができ、スイッチＳＷ１とスイッチＳＷ２との間にコンタクトホール７７０を形成可能となっている。
【００５３】
次に、図１５から図１８を用いて、図６に示すスイッチユニット６１の変形例について説明する。図１５において、スイッチユニット６１Ｂは、第１駆動信号を出力する第１スイッチＳＷ１１とＳＷ１２とが、第２方向Ｙに隣り合って並ぶように形成され、第２駆動信号を出力する第２スイッチＳＷ２１とＳＷ２２とが、第２方向Ｙに隣り合って並ぶように形成されている。各スイッチの出力端子は出力信号線８４２で共通に接続され、出力信号線８４２は共通電極ＣＥ１に接続している。
なお、図１５に記載のスイッチユニット６１Ｂでは、図６に記載のスイッチユニット６１のように、第１スイッチと第２スイッチとが対になってスイッチ回路を形成していない。スイッチユニット６１Ｂでは、複数段のトランジスタから構成される第１スイッチのグループと第２スイッチのグループの対がスイッチユニットを形成している。従って、スイッチユニット６１Ｂでは、複数のスイッチ回路がスイッチユニットを構成していないが、便宜上、第１スイッチのグループと第２スイッチのグループが対をなすものもスイッチユニットと呼ぶ。
図１５では、スイッチユニットの位置関係を説明するために、図５に示すセレクタ回路５１Ｂの上端（図中表示領域ＤＡ側を上とする）を示す仮線６３３を記載している。セレクタ回路５１Ａの下端は仮線６３３に示すセレクタ回路５１Ｂの上端よりも表示領域ＤＡ側に形成されている。すなわち、図５に示すように、共通電極ＣＥ２の下端は、共通電極ＣＥ３の下端よりも、表示領域ＤＡ側に位置しており、その分スイッチユニット６１及び６１Ｂを形成するスペースが第２方向Ｙに広がっている。従って、スイッチユニット６１及び６１Ｂの第２方向Ｙの幅を広げることができ、スイッチユニット６１では、スイッチ回路を４段並べて形成することができ、スイッチユニット６１Ｂでは、第１スイッチを２段並べて形成し、第２スイッチを２段並べて形成することが可能となっている。
【００５４】
次に、図１６を用いてスイッチユニット６１Ｂの回路図を示す。スイッチユニット６１Ｂは、前述したように、第１駆動信号を出力する第１スイッチが２段、第２方向Ｙに重ねて形成され、第２駆動信号を出力する第２スイッチが２段、第２方向Ｙに重ねて形成されている。
スイッチＳＷ１１は、並列接続された第１トランジスタＴＲ１１、第２トランジスタＴＲ１２、第３トランジスタＴＲ１３、第４トランジスタＴＲ１４を備えている。スイッチＳＷ１２内の構成については省略するが、スイッチＳＷ１２の構成はスイッチＳＷ１１と同様である。スイッチＳＷ２１は、並列接続された第５トランジスタＴＲ２１、第６トランジスタＴＲ２２、第７トランジスタＴＲ２３、第８トランジスタＴＲ２４を備えている。スイッチＳＷ２２内の構成については省略するが、スイッチＳＷ２２の構成はスイッチＳＷ２１と同様である。
第１乃至第４トランジスタＴＲ１１〜ＴＲ１４の各々の入力端子は、第１駆動信号線ＶＣＯＭＤＣに接続され、各々の出力端子は、出力信号線８４２を介して共通電極ＣＥ１に接続されている。トランジスタを４段並べて形成するために、第２トランジスタＴＲ１２と第３トランジスタＴＲ１３の入力端子は共通に第１駆動信号線ＶＣＯＭＤＣに接続され、第１トランジスタＴＲ１１と第２トランジスタＴＲ１２の出力端子は共通に出力信号線８４２に接続され、第３トランジスタＴＲ１３と第４トランジスタＴＲ１４の出力端子は共通に出力信号線８４２に接続されている。
また、第５乃至第８トランジスタＴＲ２１〜ＴＲ２４の各々の入力端子は、第２駆動信号線ＴＳＶＣＯＭに接続され、各々の出力端子は、出力信号線８４２を介して共通電極ＣＥ１に接続されている。トランジスタを４段並べて形成するために、第６トランジスタＴＲ２２と第７トランジスタＴＲ２３の入力端子は共通に第２駆動信号線ＴＳＶＣＯＭに接続され、第５トランジスタＴＲ２１と第６トランジスタＴＲ２２の出力端子は共通に出力信号線８４２に接続され、第７トランジスタＴＲ２３と第８トランジスタＴＲ２４の出力端子は共通に出力信号線８４２に接続されている。
第１乃至第４トランジスタＴＲ１１〜ＴＲ１４の各々の制御端子は、第１選択信号線７２２に接続され、第５乃至第８トランジスタＴＲ２１〜ＴＲ２４の各々の制御端子は、第２選択信号線７２４に接続されている。従って、第１乃至第４トランジスタＴＲ１１〜ＴＲ１４の各々は第１選択信号線７２２によりオン・オフが制御され、オン状態で第１駆動信号を共通電極ＣＥ１に出力する。また、第５乃至第８トランジスタＴＲ２１〜ＴＲ２４の各々は第２選択信号線７２４によりオン・オフが制御され、オン状態で第２駆動信号を共通電極ＣＥ１に出力する。
【００５５】
次に、図１７及び図１８を用いてスイッチユニット６１Ｂの概略レイアウト図を示す。図１８は図１７に示すスイッチＳＷ１１の部分拡大図である。図１７では、スイッチＳＷ１１、スイッチＳＷ１２、スイッチＳＷ２２、スイッチＳＷ２２が第２方向Ｙに並べて形成され、スイッチＳＷ１１、ＳＷ１２を形成する第１乃至第４トランジスタＴＲ１１〜ＴＲ１４が第２方向Ｙに並べて形成され、スイッチＳＷ２１、ＳＷ２２を形成する第５乃至第８トランジスタＴＲ２１〜ＴＲ２４が第２方向Ｙに並べて形成されている。
各トランジスタは第１方向Ｘに延伸するように形成されており、各トランジスタ共通に第１方向Ｘに長い略長方形の半導体層８１０が形成され、各トランジスタの第１方向Ｘの中央付近に各トランジスタを共通に接続する出力信号線８４２が第２方向Ｙに延伸するように形成されている。
図１８は、図１７に示すスイッチＳＷ１１の左上付近の拡大図である。図１９は、図１８のＡ−Ａ線の断面図である。図２０は、図１８のＢ−Ｂ線の断面図である。
スイッチＳＷ１１は、各トランジスタＴＲ１１、ＴＲ１２、ＴＲ１３、ＴＲ１４共通に略長方形の半導体層８１０を有し、半導体層８１０の長辺は第１方向Ｘに沿っている。また、半導体層８１０は、第２方向Ｙに第１トランジスタＴＲ１１から第４トランジスタＴＲ１４まで連続して形成されている。第１トランジスタＴＲ１１のドレイン電極８３０は、第１駆動信号線ＶＣＯＭＤＣと接続しており、コンタクトホール８６０を介して、半導体層８１０のドレイン領域８３４と電気的に接続している。第１トランジスタＴＲ１１のドレイン電極８３０と並列にゲート電極８２０が形成されており、ゲート電極８２０は第１選択信号線７２２に接続している。各トランジスタＴＲ１１、ＴＲ１２、ＴＲ１３、ＴＲ１４とはソース電極８４０が共通であり、ソース電極８４０はコンタクトホール８６０を介して半導体層８１０のソース領域８４４と電気的に接続すると共に、コンタクトホール８７０を介して出力信号線８４２と電気的に接続している。出力信号線８４２は図１５に示すように共通電極ＣＥ１に接続している。
スイッチＳＷ１１の第２トランジスタＴＲ１２と第３トランジスタＴＲ１３とは、ドレイン電極８３０が共通であり、ドレイン電極８３０には第１駆動信号線ＶＣＯＭＤＣが接続している。第１トランジスタＴＲ１１と第２トランジスタＴＲ１２のソース電極８４０は共通であり、コンタクトホール８７０を介して出力信号線８４２に接続している。第３トランジスタＴＲ１３と第４トランジスタＴＲ１４のソース電極８４０は共通であり、コンタクトホール８７０を介して出力信号線８４２に接続している。なお、ソース電極８４０の外形と出力信号線８４２の外形とは重なっており、図１７及び図１８では図を簡素化するために同一の外形で図示している。
スイッチＳＷ１１では、トランジスタが４つ第２方向Ｙに並べて形成されているが、隣合うトランジスタのソース電極８４０またはドレイン電極８３０が共通に形成されており、形成領域の第２方向Ｙへの縮小が図られている。
なお、スイッチＳＷ１２はスイッチＳＷ１１と同様な構成で、スイッチＳＷ２１とＳＷ２２は、スイッチＳＷ１１と選択信号線７２４と第２駆動信号線ＴＳＶＣＯに接続される点以外は同様の構成である。
図１９と図２０の概略断面図に示すように、スイッチＳＷを形成する各トランジスタＴＲ１１〜ＴＲ１２は第１基材１０の上に形成される。なお、図１９と図２０では、図３に示す断面図の第１基板１０から第１絶縁層１１までに形成されるトランジスタの構成を詳細に示している。
ガラス基板或いは樹脂基板等の第１基材１０の上に、下地層１１１が形成され、下地層１２０の上に半導体層８１０が形成されている。半導体層８１０にはチャネル領域８１４と、ドレイン領域８３４と、ソース領域８４４が形成されている。半導体層８１０の上にはゲート絶縁膜１１３が形成されている。ゲート絶縁膜１１３の上にはゲート電極８２０が形成されている。ゲート絶縁膜１１３とゲート電極８２０の上には絶縁膜４７３が形成されている。絶縁膜４７３には、複数のコンタクトホール８６０が形成されている。ある１つのコンタクトホール８６０を介してドレイン電極８３０とドレイン領域８３４が接続されている。また、他の１つのコンタクトホール８６０を介してソース電極８４０とソース領域８４４が接続されている。ドレイン電極８３０とソース電極８４０の上には絶縁膜４７５が形成されている。絶縁膜４７５にはコンタクトホール８７０が形成されている。コンタクトホール８７０を介してソース電極８４０と出力信号線８４２が接続されている。
下地層１１１とゲート絶縁膜１１３は、酸化シリコンや窒化シリコン等の無機絶縁膜で形成される場合が多いが、有機絶縁膜でも形成可能である。絶縁膜４７３と４７５とは有機絶縁膜で形成される場合が多いが、無機絶縁膜でも形成可能である。
絶縁膜４７５を間に介して、出力信号線８４２をドレイン電極８３０やソース電極８４０と別層に形成することで、出力信号線８４２を各トランジスタ共通に形成することが可能となっている。また、隣合うトランジスタでドレイン領域８３４やソース領域８４４を共有することで、第２方向Ｙへ形成領域の縮小が図られている。
【００５６】
以上説明したように、本実施形態によれば、狭額縁化が可能な表示装置を提供することができる。
【００５７】
本発明の思想の範疇において、当業者であれば、各種の変形例に想到し得るものであり、それら変形例についても本発明の範囲に属するものと解される。例えば、上述の実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
【００５８】
また、上述の実施形態において述べた態様によりもたらされる他の作用効果について、本明細書の記載から明らかなもの、又は当業者において適宜想到し得るものについては、当然に本発明によりもたらされるものと解される。
【符号の説明】
【００５９】
ＤＳＰ…表示装置  ＰＮＬ…表示パネル  ＤＡ…表示領域  ＳＡ…周辺領域
ＰＥ…画素電極  ＣＥ…共通電極  ＥＡ…延在部
ＲＸ…検出電極  Ｐ…パッド  Ｌ１…リード線  Ｈ…接続孔  Ｃ…接続部材
Ｖ…ビデオ線  ＶＣＯＭＤＣ…第１駆動信号線  ＴＳＶＣＯＭ…第２駆動信号線
ＣＬ…導電層
ＯＬ…重畳部  ＮＯＬ…非重畳部  ＧＰ…間隙
ＳＥ…遮蔽電極  ＣＨ…コンタクトホール
ＭＬ…金属層
５０…セレクタユニット  ５１…セレクタ回路
６０〜６３…スイッチユニット
６１１〜６１４…スイッチ回路  ６２１〜６２４…スイッチ回路
ＳＷ１〜ＳＷ４…スイッチ
ＴＲ１〜ＴＲ６…トランジスタ
【図１】
2018180182.tif 000003
【図２】
2018180182.tif 000004
【図３】
2018180182.tif 000005
【図４】
2018180182.tif 000006
【図５】
2018180182.tif 000007
【図６】
2018180182.tif 000008
【図７】
2018180182.tif 000009
【図８】
2018180182.tif 000010
【図９】
2018180182.tif 000011
【図１０】
2018180182.tif 000012
【図１１】
2018180182.tif 000013
【図１２】
2018180182.tif 000014
【図１３】
2018180182.tif 000015
【図１４】
2018180182.tif 000016
【図１５】
2018180182.tif 000017
【図１６】
2018180182.tif 000018
【図１７】
2018180182.tif 000019
【図１８】
2018180182.tif 000020
【図１９】
2018180182.tif 000021
【図２０】
2018180182.tif 000022